(57)【要約】【課題】システム構成の変更を容易にすると共に、より効率的な動作を可能とする医療情報管理システムを実現すること。【解決手段】医療情報管理システムにおいて、画像撮影装置から撮影実績データを受信する撮影実績受信手段と、撮影実績データを格納する撮影実績データ格納手段と、撮影予約データを入力する予約データ入力手段と、予約データを格納する予約データ格納手段と、予約データに基づいた撮影情報を画像撮影装置に送信する撮影情報送信手段と、予約データと撮影実績データを照合する予約実績照合データ更新手段と、予約データと撮影実績データとの照合を要求する照合要求信号を入力して照合結果を受信する照合結果参照手段とを具備し、予約実績照合データ更新手段は、照合要求信号が入力された場合に予約データと撮影実績データとの照合を行うことを特徴とする医療情報管理システム。【選択図】      図１
2004171341.tif 000002
【特許請求の範囲】
【請求項１】
医療画像を撮影する画像撮影装置の予約データと撮影実績データを管理する医療情報管理システムにおいて、
前記画像撮影装置から前記撮影実績データを受信する撮影実績受信手段と、前記撮影実績受信手段で受信した撮影実績データを格納する撮影実績データ格納手段と、前記画像撮影装置で医療画像を撮影する予約データを入力する予約データ入力手段と、前記予約データ入力手段から入力された予約データを格納する予約データ格納手段と、前記予約データに基づいた撮影情報を前記画像撮影装置に送信する撮影情報送信手段と、前記予約データと前記撮影実績データを照合する予約実績照合データ更新手段と、前記予約データと前記撮影実績データとの照合を要求する照合要求信号を入力して前記予約実績照合データ更新手段から照合結果を受信する照合結果参照手段とを具備し、
前記予約実績照合データ更新手段は、前記照合結果参照手段から前記照合要求信号が入力された場合に前記予約データと前記撮影実績データとの照合を行うことを特徴とする医療情報管理システム。
【請求項２】
請求項１記載の医療情報管理システムにおいて、
前記照合結果は、前記予約データに関連付けられて前記予約データ格納手段に格納されることを特徴とする医療情報管理システム。
【発明の詳細な説明】
【０００１】
【発明の属する技術分野】
本発明は、ＣＴ（Ｃｏｍｐｕｔｅｄ  Ｔｏｍｏｇｒａｐｈｙ）装置、ＭＲＩ（Ｍａｇｎｅｔｉｃ  Ｒｅｓｏｎａｎｃｅ  Ｉｍａｇｉｎｇ）装置、ＣＲ（Ｃｏｍｐｕｔｅｄ  Ｒａｄｉｏｇｒａｐｈｙ）装置等の画像撮影装置の撮影予約と撮影実績を管理する医療情報管理システムに関するものである。
【０００２】
【従来の技術】
従来の医療情報管理システムは、例えば、次の特許文献１に記載されている。
【０００３】
【特許文献１】
特開平８−００７０１３号公報（第５頁、図３）
【０００４】
図２は、従来の医療情報管理システムの構成概略図である。
図２において、医療情報管理システムは、医療機関内の業務システムとして例えば放射線部門情報システムＳと、例えばＣＲ装置等の画像撮影装置Ｍ（モダリティ）とから構成されている。
【０００５】
そして、放射線部門情報システムＳは、予約データ入力手段１、予約実績照合データ更新手段２、予約実績データ格納手段３、撮影情報送信手段４、撮影実績受信手段５、照合結果参照手段６、とから構成され、予約データ入力手段１、予約実績照合データ更新手段２、予約実績データ格納手段３、撮影情報送信手段４、撮影実績受信手段５、照合結果参照手段６は図示しない制御手段（ＣＰＵ）によってその動作を制御されている。
【０００６】
まず、担当者は、予約データ入力手段１によって患者名、検査装置、撮影部位、撮影予定日時、撮影方法（性別、年齢によって異なるＸ線の強度等）等の検査予約データを入力し、予約実績照合データ更新手段２は入力された予約データを受信し、個々の予約を識別可能な予約識別情報を付与し予約実績データ格納手段３に格納する。
【０００７】
そして、予約実績照合データ更新手段２は、予約実績データ格納手段３に格納された予約データから画像撮影装置の運用方法に応じた必要情報を撮影情報として抽出し、撮影情報送信手段４は抽出された撮影情報を画像撮影装置Ｍに送信し、画像撮影装置Ｍは受信した撮影情報に基づいて患者の医療画像を撮影する。
【０００８】
次に、撮影実績受信手段５は、画像撮影装置Ｍから送信され予約識別情報に対応付けられた撮影実績データを受信し、予約実績照合データ更新手段２は、予約実績データ格納手段３に格納されている予約データと受信した撮影実績データを照合し、受信した撮影実績データに対応する予約データに実施済みである識別情報を付与して照合結果として保存する。
【０００９】
そして、予約実績照合データ更新手段２は、照合結果参照手段６からの要求に従って予約実績データ格納手段３に保存されている照合結果を取り出し、照合結果参照手段６は、取り出された照合結果を例えば予約実施済みリストの形式で表示させ、担当者は予約された検査が実施されたか否かを確認する。
【００１０】
【発明が解決しようとする課題】
しかし、このような医療情報管理システムにおいては次のような問題点があった。
放射線部門システムＳにおいて画像撮影の予約と実績の照合を行う場合、例えば、予約データが入力されなければ照合を行わないという運用、予約データが入力されていなくてもダミーの予約データを作成して実績データを保存し、後から入力された予約データとの照合を行うという運用等、各医療機関毎に異なった運用方法となる場合があるため、予約実績照合データ更新手段２もその運用方法に対応した動作となるように変更する必要がある。
【００１１】
また、画像撮影装置Ｍの通信規格（ＤＩＣＯＭ等）は多種であり、撮影情報送信手段４及び撮影実績受信手段５の各通信手段は、設置されている画像撮影装置Ｍの通信規格に対応するものとする必要がある。
【００１２】
また、これらの通信手段は予約実績照合データ更新手段２に適合するものが限定されるため、予約実績照合データ更新手段２と撮影情報送信手段４及び撮影実績受信手段５の一方を変更した場合、他方の手段も変更を行わなければならず、システム変更が容易ではない。
【００１３】
また、上述のように病院業務の都合上、予約が実績のあとから発生する場合があるが、予約実績照合データ更新手段２は、実績データを常に予約データと関連つけた状態でのみ保存するため、予約が発生した後に照合を行う場合は、仮の予約データを作成してそれに関連付けを行うことにより実績データを保存しておき、後に真の予約データが発生した場合にこれとダミーの予約データを置き換えるという複雑な動作を行わなければならず、その負荷が大きいという問題点があった。
【００１４】
本発明は上述した問題点を解決するためになされたものであり、システム構成の変更を容易にすると共に、より効率的な動作を可能とする医療情報管理システムを実現することを目的とする。
【００１５】
【課題を解決するための手段】
本発明の請求項１においては、医療画像を撮影する画像撮影装置の予約データと撮影実績データを管理する医療情報管理システムにおいて、前記画像撮影装置から前記撮影実績データを受信する撮影実績受信手段と、前記撮影実績受信手段で受信した撮影実績データを格納する撮影実績データ格納手段と、前記画像撮影装置で医療画像を撮影する予約データを入力する予約データ入力手段と、前記予約データ入力手段から入力された予約データを格納する予約データ格納手段と、前記予約データに基づいた撮影情報を前記画像撮影装置に送信する撮影情報送信手段と、前記予約データと前記撮影実績データを照合する予約実績照合データ更新手段と、前記予約データと前記撮影実績データとの照合を要求する照合要求信号を入力して前記予約実績照合データ更新手段から照合結果を受信する照合結果参照手段とを具備し、前記予約実績照合データ更新手段は、前記照合結果参照手段から前記照合要求信号が入力された場合に前記予約データと前記撮影実績データとの照合を行うことを特徴とする医療情報管理システムである。
【００１６】
本発明の請求項２においては、請求項１記載の医療情報管理システムにおいて、前記照合結果は、前記予約データに関連付けられて前記予約データ格納手段に格納されることを特徴とする医療情報管理システムである。
【００１７】
【発明の実施の形態】
次に、本発明の実施例について図面を用いて説明する。
図１は本発明の一実施例の構成概略図である。
尚、以下の図面において、図２と重複する部分は同一番号を付してその説明は適宜に省略する。
【００１８】
図１において、放射線部門情報システムＳは、予約データ入力手段１、予約データ格納手段７、撮影実績格納手段８、撮影情報送信手段９、撮影実績受信手段１０、予約実績照合データ更新手段１１、照合結果参照手段６、とから構成され、予約データ入力手段１、予約データ格納手段７、撮影実績格納手段８、撮影情報送信手段９、撮影実績受信手段１０、予約実績照合データ更新手段１１、照合結果参照手段６は図示しない制御手段（ＣＰＵ）によってその動作を制御されている。
【００１９】
放射線部門情報システムＳは、図２における予約実績データ格納手段３が予約データ格納手段７と撮影実績データ格納手段８とに分離され、予約データ格納手段７は、予約データ入力手段１と撮影情報送信手段９との間に設けられると共に予約実績照合データ更新手段１１に接続され、撮影実績データ格納手段８は、撮影実績受信手段１０と予約実績照合データ更新手段１１との間に設けられている。
【００２０】
まず、担当者は、予約データ入力手段１によって検査予約データを入力し、予約データ入力手段１は、入力された予約データに個々の予約を識別可能な予約識別情報を付与して予約データ格納手段７に格納する。
【００２１】
そして、撮影情報送信手段９は、予約データ格納手段７に格納された予約データから画像撮影装置Ｍの運用方法に応じて抽出された必要情報を撮影情報として画像撮影装置Ｍに送信し、画像撮影装置Ｍは受信した撮影情報に基づいて患者の医療画像を撮影する。
【００２２】
次に、撮影実績受信手段１０は、画像撮影装置Ｍから送信され予約識別情報に対応付けられた撮影実績データを受信し、撮影実績データ格納手段８に格納する。
そして、予約実績照合データ更新手段１１は、照合結果参照手段６から参照要求が入力された場合に、予約データ格納手段７に格納されている予約データと撮影実績データ格納手段８に格納された撮影実績データとの照合を行う。
【００２３】
そして、予約実績照合データ更新手段１１は、照合結果を照合結果参照手段６に送信し、照合結果参照手段６は、取り出された照合結果を例えば予約実施済みリストの形式で表示させ、担当者は予約された検査が実施されたか否かを確認する。
この場合、予約データ格納手段７に格納された予約データに照合結果を対応付けして更新保存するようにしてもよい。
【００２４】
この場合、予約実績照合データ更新手段１１は、予約データと実績データの両者が入力され、照合結果参照手段６から参照要求が入力されたタイミングで、予約データと実績データの照合を行う。
【００２５】
従って、予約データが実績データの後から入力された場合でも前に入力された場合でも、その運用方法に違いに応じて予約実績照合データ更新手段１１を変更する必要はなく、多様な病院業務に柔軟に対応することができる。
【００２６】
また、撮影実績データが予約データに先立って発生した場合でも、仮の予約データ作成と真の予約データとの置換といった複雑な作業を必要とせず、容易に撮影実績データの保存を行うことができ、また、予約実績照合データ更新手段１１は予約データ、実績データの格納は行わないため、予約実績照合データ更新手段１１の動作を単純化することができ、システム全体のパフォーマンスが向上する。
【００２７】
また、撮影情報送信手段９及び撮影実績受信手段１０（通信手段）と予約実績照合データ更新手段１１は、予約データ格納手段７及び撮影実績データ格納手段８を介して互いに分離されているため、通信手段と予約実績照合データ更新手段１１の相互の依存性はなくなり、それらの変更は必要に応じて容易に行うことができる。
また、一方の変更を行った場合も他方に変更を必要とするような影響が波及することはない。
【００２８】
ところで、放射線部門情報システムを構成するすべての手段は図示しない一つの制御手段（ＣＰＵ）で制御されているが、予約実績照合データ更新手段１１と通信手段（撮影情報送信手段７及び撮影実績受信手段１０）を分離したので、図２に示すように、通信手段（撮影情報送信手段９及び撮影実績受信手段１０）を放射線部門情報システムＳの外に出して、図示しない別の制御手段で制御するようにすることにより、処理負荷を分散させて全体のパフォーマンスを向上させることができる。
【００２９】
【発明の効果】
以上説明したように本発明によれば、予約データ格納手段と撮影実績データ格納手段とを個別に設けたので、予約データが実績データの後から入力された場合でも前に入力された場合でも、その運用方法に違いに応じて予約実績照合データ更新手段を変更する必要はなく、多様な病院業務に柔軟に対応することができる。
【００３０】
また、本発明によれば、容易に撮影実績データの保存を行うことができ、予約実績照合データ更新手段は予約データ、実績データの格納は行わないため、予約実績照合データ更新手段の動作を単純化することができ、システム全体のパフォーマンスを向上させることができる。
【００３１】
また、本発明によれば、通信手段と予約実績照合データ更新手段とを予約データ格納手段及び撮影実績データ格納手段を介して互いに分離したので、通信手段と予約実績照合データ更新手段の相互の依存性はなくなり、それらの変更は必要に応じて容易に行うことができる。
【図面の簡単な説明】
【図１】本発明の一実施例の構成を示す図である。
【図２】本発明の他の実施例の構成を示す図である。
【図３】従来の医療情報管理システムの構成を示す図である。
【符号の説明】
１  予約データ入力手段
６  照合結果参照手段
７  予約データ格納手段
８  撮影実績データ格納手段
９  撮影情報送信手段
１０  撮影実績受信手段
１１  予約実績照合データ更新手段
Ｍ  画像撮影装置
Ｓ  放射線部門情報システム
【図１】
2004171341.tif 000003
【図２】
2004171341.tif 000004
【図３】
2004171341.tif 000005